【手続補正書】
【提出日】平成16年11月8日(2004.11.8)
【手続補正１】
【補正対象書類名】明細書
【補正対象項目名】特許請求の範囲
【補正方法】変更
【補正の内容】
【特許請求の範囲】
【請求項１】
被写体のアップ写真と全体写真とを選択的に撮影する撮影手段と、
前記被写体へ照明を行なう照明装置と、
使用者からの対価の投入を受付け、投入された対価を検出して検出信号を送信する対価検出部と、
前記使用者からの対価の投入を受付けた後、前記撮影手段による撮影が行なわれる前に、写り方の選択を行なうための画面を表示する表示手段と、
前記表示手段の画面での写り方の選択を使用者から受付ける選択手段と、
前記選択手段での選択に基づいて、写真撮影機の設定を行なう設定手段と、
前記設定手段による設定を用いて、前記撮影手段で前記被写体を撮影するよう制御する制御手段と、
前記撮影された画像の上に、任意の文字や図形その他の書込み画像を書込む入力装置と、
前記入力装置により入力された書込み画像を前記撮影された画像に合成し、その合成画像を印刷媒体にプリントするプリンタとを備えた、写真撮影機。
【請求項２】
前記撮影手段での複数の写り方を例示するための複数のデータを記憶する記憶手段をさらに備え、
前記表示手段は、前記記憶手段に記憶された、前記撮影手段での複数の写り方を例示するための複数のデータを前記記憶手段から読出し、写り方の選択を行なうための画面として表示する、請求項１に記載の写真撮影機。
【請求項３】
前記表示手段は、撮影画像を用いて写り方の例を表示する、請求項１または２に記載の写真撮影機。
【請求項４】
前記表示手段は、文字やボタンを用いて写り方の例を表示する、請求項１または２に記載の写真撮影機。
【請求項５】
被写体のアップ写真と全体写真とを選択的に撮影する撮影手段と、
前記被写体へ照明を行なう照明装置と、
使用者からの対価の投入を受付け、投入された対価を検出して検出信号を送信する対価検出部とを備えた写真撮影機を用いた写真提供方法であって、
前記対価検出部により、使用者からの対価の投入を受付けた後、前記撮影手段による撮影が行なわれる前に、写り方の選択を行なうための画面を表示する表示ステップと、
前記表示ステップで表示された画面での写り方の選択を使用者から受付ける選択ステップと、
前記選択ステップでの選択に基づいて、前記写真撮影機の設定を行なう設定ステップと、
前記設定ステップによる設定を用いて、前記撮影手段で前記被写体を撮影するよう制御する制御ステップと、
前記撮影された画像の上に、任意の文字や図形その他の書込み画像を書込む入力ステップと、
前記入力ステップにより入力された書込み画像を前記撮影された画像に合成し、その合成画像を印刷媒体にプリントするプリントステップとを備えた、写真提供方法。
【請求項６】
被写体のアップ写真と全体写真とを選択的に撮影する撮影手段と、
前記被写体へ照明を行なう照明装置と、
使用者からの対価の投入を受付け、投入された対価を検出して検出信号を送信する対価検出部とを備えた写真撮影機を制御するための写真提供プログラムであって、
前記対価検出部により、使用者からの対価の投入を受付けた後、前記撮影手段による撮影が行なわれる前に、写り方の選択を行なうための画面を表示する表示ステップと、
前記表示ステップで表示された画面での写り方の選択を使用者から受付ける選択ステップと、
前記選択ステップでの選択に基づいて、前記写真撮影機の設定を行なう設定ステップと、
前記設定ステップによる設定を用いて、前記撮影手段で前記被写体を撮影するよう制御する制御ステップと、
前記撮影された画像の上に、任意の文字や図形その他の書込み画像を書込む入力ステップと、
前記入力ステップにより入力された書込み画像を前記撮影された画像に合成し、その合成画像を印刷媒体にプリントするプリントステップとをコンピュータに実行させる、写真提供プログラム。
【手続補正２】
【補正対象書類名】明細書
【補正対象項目名】０００７
【補正方法】変更
【補正の内容】
【０００７】
【課題を解決するための手段】
上記目的を達成するために、本発明のある局面に従うと、写真撮影機は、被写体のアップ写真と全体写真とを選択的に撮影する撮影手段と、被写体へ照明を行なう照明装置と、使用者からの対価の投入を受付け、投入された対価を検出して検出信号を送信する対価検出部と、使用者からの対価の投入を受付けた後、撮影手段による撮影が行なわれる前に、写り方の選択を行なうための画面を表示する表示手段と、表示手段の画面での写り方の選択を使用者から受付ける選択手段と、選択手段での選択に基づいて、写真撮影機の設定を行なう設定手段と、設定手段による設定を用いて、撮影手段で被写体を撮影するよう制御する制御手段と、撮影された画像の上に、任意の文字や図形その他の書込み画像を書込む入力装置と、入力装置により入力された書込み画像を撮影された画像に合成し、その合成画像を印刷媒体にプリントするプリンタとを備える。
好ましくは写真撮影機は、撮影手段での複数の写り方を例示するための複数のデータを記憶する記憶手段をさらに備え、表示手段は、記憶手段に記憶された、撮影手段での複数の写り方を例示するための複数のデータを記憶手段から読出し、写り方の選択を行なうための画面として表示する。
好ましくは表示手段は、撮影画像を用いて写り方の例を表示する。
好ましくは表示手段は、文字やボタンを用いて写り方の例を表示する。
本発明の他の局面に従うと、写真提供方法は、被写体のアップ写真と全体写真とを選択的に撮影する撮影手段と、被写体へ照明を行なう照明装置と、使用者からの対価の投入を受付け、投入された対価を検出して検出信号を送信する対価検出部とを備えた写真撮影機を用いた写真提供方法であって、対価検出部により、使用者からの対価の投入を受付けた後、撮影手段による撮影が行なわれる前に、写り方の選択を行なうための画面を表示する表示ステップと、表示ステップで表示された画面での写り方の選択を使用者から受付ける選択ステップと、選択ステップでの選択に基づいて、写真撮影機の設定を行なう設定ステップと、設定ステップによる設定を用いて、撮影手段で被写体を撮影するよう制御する制御ステップと、撮影された画像の上に、任意の文字や図形その他の書込み画像を書込む入力ステップと、入力ステップにより入力された書込み画像を撮影された画像に合成し、その合成画像を印刷媒体にプリントするプリントステップとを備える。
本発明の他の局面に従うと、写真提供プログラムは、被写体のアップ写真と全体写真とを選択的に撮影する撮影手段と、被写体へ照明を行なう照明装置と、使用者からの対価の投入を受付け、投入された対価を検出して検出信号を送信する対価検出部とを備えた写真撮影機を制御するための写真提供プログラムであって、対価検出部により、使用者からの対価の投入を受付けた後、撮影手段による撮影が行なわれる前に、写り方の選択を行なうための画面を表示する表示ステップと、表示ステップで表示された画面での写り方の選択を使用者から受付ける選択ステップと、選択ステップでの選択に基づいて、写真撮影機の設定を行なう設定ステップと、設定ステップによる設定を用いて、撮影手段で被写体を撮影するよう制御する制御ステップと、撮影された画像の上に、任意の文字や図形その他の書込み画像を書込む入力ステップと、入力ステップにより入力された書込み画像を撮影された画像に合成し、その合成画像を印刷媒体にプリントするプリントステップとをコンピュータに実行させる。
本発明の他の局面に従うと、写真撮影機は、被写体を撮影する撮影手段と、撮影手段で得られた画像を表示する表示手段と、撮影された被写体の画像に対して反転処理を行なう反転処理手段と、表示手段で表示される画像として、撮影された被写体の反転処理前の画像と、反転処理が行なわれた画像との少なくとも一方を選択する選択手段とを備える。